(57)【要約】      （修正有）【課題】腰部と腹部の揉み振り回しまたは背中部の揉み振り回し機能を兼ね備えるマッサージフィットネス装置を提供する。【解決手段】一組の背中部マッサージ装置２０を内設し、内部の下方に偏る位置は揉み振り回しベルト部３０を設け、底面は輪状誘導ギヤ１１と、複数の導電バー１３とを設け、背中部マッサージ装置は３つのギヤ組を駆動し、それぞれ２つのマッサージヘッドを駆動して揉み押しマッサージまたは輪状誘導ギヤと噛み合わせて伝動し、背中部マッサージ装置２０を循環的に上下移動させる。さらに、背中部を揉み押しマッサージするフレーム部と、ギヤ軸を伝動して回転軸を駆動するモータと、両端にそれぞれ２つの偏心輪を固定する回転軸と、２つの偏心軸にてそれぞれ枢設する２つのベルト体固定器３５とを有する揉み振り回しベルト部と、を備える。【選択図】図３
0003180661.tif 000002
【実用新案登録請求の範囲】
【請求項１】
腰部と腹部の揉み振り回しまたは背中部の揉み振り回し機能を兼ね備えるマッサージフィットネス装置であって、
フレーム部と、
前記フレーム部に内設する一組の背中部マッサージ装置と、
前記フレーム部の内部下方の偏る位置に設けられ、ギヤ組を駆動する第１モータと、前記ギヤ組によって駆動される回転軸を有し、前記回転軸の両端にそれぞれ２つの偏心輪を固定していて、２つの前記偏心輪にてそれぞれ２つのベルト体固定器を枢設する揉み振り回しベルト部と、
両端は前記ベルト体の表面蓋を貫いて、それぞれ２つのベルト体固定器に固定するベルト体と、を備え、
前記ベルト体を腰部や腹部に締め付け、前記ベルト体を腰部や腹部に締め付けて第１モータを起動した後、２つの前記偏心輪の振り回し力量と偏心力量によって、前記ベルト体を駆動して、腰部と腹部の揉み振り回す動作を引き起し、腰部と腹部の揉み振り回しマッサージ効果を達成する。
【請求項２】
前記フレーム部の底面はさらに輪状誘導ギヤと、輪状溝と、複数の導電バーと、を設けることを特徴とする、請求項１記載の腰部と腹部の揉み振り回しまたは背中部の揉み振り回し機能を兼ね備えるマッサージフィットネス装置。
【請求項３】
移動する前記背中部マッサージ装置に導電部を設け、前記導電部は随時に複数の導電バーに接触していて電気を導通し、前記背中部マッサージ装置は第１、第２、第３ギヤ組を駆動する第２モータと、前記背中部マッサージ装置の上方に取り付ける２つのマッサージヘッドと、を有し、前記第１、第２ギヤ組に備える２つの伝動軸が上方に移動したとき、２つの前記マッサージヘッドとを組み合わせて、揉み押しマッサージができ、前記第３ギヤ組が下方に移動したとき、前記輪状誘導ギヤと噛み合わせて伝動し、前記第３ギヤ組の末端ギヤのギヤ軸を前記輪状溝に嵌め込むことによって、前記末端ギヤは離脱することなく確実に前記輪状誘導ギヤの誘導に従うと同時に、前記輪状誘導ギヤの誘導によって、前記第２モータが前記背中部マッサージ装置を駆動し上下に移動すると共に、背中部の揉み押しマッサージができることを特徴とする、請求項２記載の腰部と腹部の揉み振り回しまたは背中部の揉み振り回し機能を兼ね備えるマッサージフィットネス装置。
【考案の詳細な説明】
【技術分野】
【０００１】
本考案はマッサージ装置に関し、特に背中部に対して上下に揉み押しマッサージするほか、腰部や腹部にベルト体を締め付けて、腰部や腹部を揉み振り回して健康を促進できる、腰部と腹部の揉み振り回しまたは背中部の揉み振り回し機能を兼ね備えるマッサージフィットネス装置に関する。
【背景技術】
【０００２】
現代の人々は仕事が忙しいと言いながら、体を動く仕事よりも頭を使う仕事が多く、しかも多くの時間は、オフィスチェアに座って事務処理するときまたはリクリエーションのときは楽な姿勢でソファに座ってテレビ番組を鑑賞する時間が多い。一方、長く座ると腹部がだんだん大きくなる。その原因は座ることで脂肪が腹部に集中し易い、さらに腹部が動かない姿勢を継続すると、腹囲がますます大きくなることは大方の見方である。
【考案の概要】
【考案が解決しようとする課題】
【０００３】
よって、座っている間に腹部をマッサージすることは関心を要する課題であり、一方、多くのマッサージ装置が組み込まれたクッション体にはマッサージ機能あるものの、達成できるマッサージ効果は限られている。さらに、長期間の座りによる腹部の肥満現象を軽減する効果はないため、改善する余地がある。
【課題を解決するための手段】
【０００４】
本考案は、背中部に対して上下に揉み押しマッサージするほか、腰部や腹部にベルト体を締め付けて、腰部や腹部を揉み振り回すことによって健康を促進し、かつ腹部の肥満現象を緩解するかまたはなくすことのできる、腰部と腹部の揉み振り回しまたは背中部の揉み振り回し機能を兼ね備えるマッサージフィットネス装置の提供を主な目的とする。
【図面の簡単な説明】
【０００５】
【図１】本考案の一実施例の前視図である。
【図２】本考案の一実施例の立体図である。
【図３】本考案よりフレーム部を取り除いた後の立体背面図である。
【図４】本考案の一実施例の立体分解図である。
【図５】本考案による揉み振り回しベルト部の立体分解図である。
【図６】本考案による背中部マッサージ装置の立体分解図である。
【図７】本考案をオフィスチェアのクッションに適用された態様図である。
【図８】本考案をマッサージチェアの背もたれに適用された態様図である。
【図９】本考案をマッサージチェアに適用された態様図である。
【０００６】
以下、図面を参照しながら、本考案の特徴や技術内容について、詳しく説明するが、それらの図面等は、参考や説明のためであり、本考案は、それによって制限されることが無い。
【考案を実施するための形態】
【実施例】
【０００７】
本考案の構成は、図1乃至図8を参照する。
【０００８】
内部に背中部マッサージ装置２０を組み付け、内部の下方の偏る位置に揉み振り回しベルト部３０を設けるフレーム部１０と、ギヤ軸を３２駆動し、ギヤ軸３２によって回転軸３３を駆動し、回転軸３３の両端にそれぞれ２つの偏心輪３４を固定し、２つの偏心輪３４に備える２つの偏心軸３４１にてそれぞれ２つのベルト体固定器３５を枢設する第１モータと、第１モータ３１と、両端はフレーム部１０の表面蓋１４を貫いて、それぞれ２つのベルト体固定器３５に枢設するベルト体３６とを有する揉み振り回しベルト部３０と、を備える。これにより、ベルト体３６を腰部や腹部に締め付け、ベルト体３６を腰部や腹部に締め付けて第１モータ３１を起動し、２つの偏心輪３４の振り回し力量と偏心する引っ張り力量によってベルト体３６を駆動し、腰部と腹部の揉み振り回し動作を引き起して、腰部や腹部に対する揉み振り回しマッサージ効果を達成する。
【０００９】
そのうち、フレーム部１０はその底面に輪状誘導ギヤ１１と、輪状溝１２と、複数の導電バー１３とをさらに設ける。
【００１０】
そのうち、移動する前記背中部マッサージ装置２０は導電部２７を設けられ、導電部２７が複数の導電バー１３に接触して電気を導通し、背中部マッサージ装置２０は第１、第２、第３ギヤ組２２、２３、２４を駆動する第２モータ２１と、背中部マッサージ装置２０の上方に取り付ける２つのマッサージヘッド２５、２６とを有し、第１、第２ギヤ組２２、２３に備える２つの伝動軸２２１、２３１が上方に移動することによって、２つのマッサージヘッド２５、２６とを組み合わせて、揉み押しマッサージができ、第３ギヤ組２４が下方に移動することによって輪状誘導ギヤ１１と噛み合わせて伝動し、第３ギヤ組２４の末端ギヤ２４１のギヤ軸２４１１を輪状溝１２に嵌め込むことによって、末端ギヤ２４１が輪状誘導ギヤ１１の誘導従い離脱することなく、かつ輪状誘導ギヤ１１の誘導によって、第２モータ２１が背中部マッサージ装置２０を駆動し上下に移動すると共に、背中部の揉み押しマッサージができる。
【００１１】
図7乃至図9を参照する。本考案は例えば、オフィスチェア４０の椅子クッション４１またはマッサージチェア５０の椅子もたれ５１内部またはマッサージチェアのクッション６０の背中部クッション６１内部など、いずれかのクッション体内部に適用することができる。本考案は背中部マッサージ装置２０を介して、背中部にマッサージを提供できる。一方、揉み振り回しベルト部３０のベルト体３６を腰部や腹部に締め付けることによって、揉み振り回しベルト部３０が腰部や腹部に対して揉み振り回しマッサージすることができる。このように、オフィスや休憩時間とも、いつでも背中部と腰部や腹部をマッサージして、痩身することができる。
【００１２】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００１３】
１０    フレーム部
１１    輪状誘導ギヤ
１２    輪状溝
１３    導電バー
１４    表面蓋
２０    背中部マッサージ装置
２１    第２モータ
２２    ギヤ組
２２１  伝動軸
２３    ギヤ組
２３１  伝動軸
２４    ギヤ組
２４１  末端ギヤ
２４１１   ギヤ軸
２５    マッサージヘッド
２６    マッサージヘッド
２７    導電部
３０    揉み振り回しベルト部
３１    第１モータ
３２    ギヤ組
３３    回転軸
３４    偏心輪
３４１  偏心軸
３５    ベルト体固定器
３６    ベルト体
４０    オフィスチェア
４１    椅子クッション
５０    マッサージチェア
５１    椅子もたれ
６０    マッサージチェアのクッション
６１    背中部クッション
【図１】
0003180661.tif 000003
【図２】
0003180661.tif 000004
【図３】
0003180661.tif 000005
【図４】
0003180661.tif 000006
【図５】
0003180661.tif 000007
【図６】
0003180661.tif 000008
【図７】
0003180661.tif 000009
【図８】
0003180661.tif 000010
【図９】
0003180661.tif 000011